(57)【要約】【課題】印刷する画像を記録紙の模様に合わせて直感的にレイアウトする。【解決手段】記録紙読み取り部６は、画像データを印刷する記録紙Ｐの記録面画像を読み取る。操作部３は、記録紙読み取り部６により読み取られた記録面画像に、印刷する画像データを重ね合わせて、画像データの印刷イメージを表示すると共に、画像データのレイアウト変更の指示を受け付ける。操作部３により受け付けられた指示に従って画像データは画像処理され、記録部５により記録紙Ｐに印刷される。【選択図】図１
2017170833.tif 000002
【特許請求の範囲】
【請求項１】
印刷する画像データを取得する画像データ取得部と、
前記画像データを印刷する記録紙の記録面画像を読み取る記録紙読み取り部と、
前記記録紙読み取り部により読み取られた前記記録面画像に前記画像データ取得部により取得された前記画像データを重ね合わせて、前記画像データの印刷イメージを表示すると共に、前記画像データのレイアウト変更の指示を受け付ける操作部と、
前記操作部により受け付けられた前記指示に従って前記画像データを処理する画像処理部と、
前記画像処理部により画像処理された前記画像データを前記記録紙に印刷する記録部と
を備えたことを特徴とする画像形成装置。
【請求項２】
前記記録紙読み取り部は、前記記録部に向けて前記記録紙を搬送する搬送経路に配置されており、
前記記録紙読み取り部により読み取られた前記記録紙を待機させる待機部を具備する
ことを特徴とする請求項１に記載の画像形成装置。
【請求項３】
原稿の原稿画像を読み取る原稿読み取り部を備え、
前記画像データ取得部は、
前記画像データとして、前記原稿画像を取得する
ことを特徴とする請求項１又は２に記載の画像形成装置。
【請求項４】
前記記録紙読み取り部は、
給紙カセットから給紙された前記記録紙の前記記録面画像を読み取る
ことを特徴とする請求項１から３までのいずれか１項に記載の画像形成装置。
【請求項５】
前記記録紙読み取り部は、
手差しトレイから給紙された前記記録紙の前記記録面画像を読み取る
ことを特徴とする請求項１から４までのいずれか１項に記載の画像形成装置。
【請求項６】
前記待機部は、
前記記録紙を待機させておくための搬送路である
ことを特徴とする請求項１から５までのいずれか１項に記載の画像形成装置。
【発明の詳細な説明】
【技術分野】
【０００１】
本発明は、給紙した記録紙に画像形成を行う画像形成装置に関する。
【背景技術】
【０００２】
画像形成装置において、紙の模様（例えば、文字や図形等の画像）を印刷に利用したい場合がある。しかし、模様付きの紙を記録紙として用いると、記録紙の模様と印刷した画像とが重なって見づらくなったり、全体の印刷バランスが崩れたりしやすくなる。そこで、複写機能を有する画像形成装置において、原稿から読み取った画像を別の原稿から読み取った画像に埋め込んで白紙の記録紙に印刷する技術が提案されている（例えば、特許文献１を参照）。
【先行技術文献】
【特許文献】
【０００３】
【特許文献１】特開平05-110820号公報
【発明の概要】
【発明が解決しようとする課題】
【０００４】
しかしながら、模様付きの紙が特殊紙である場合のように、紙の質感そのものを生かして印刷したいことがある。特許文献１の技術では、模様付きの紙を記録紙として用いた場合に、印刷する画像を記録紙の模様に合わせて直感的にレイアウトすることが難しかったという問題があった。
【０００５】
本発明は上記課題に鑑みてなされたものであり、印刷する画像を記録紙の模様に合わせて直感的にレイアウトすることができる技術を提供することを目的とする。
【課題を解決するための手段】
【０００６】
本発明の画像形成装置は、印刷する画像データを取得する画像データ取得部と、前記画像データを印刷する記録紙の記録面画像を読み取る記録紙読み取り部と、前記記録紙読み取り部により読み取られた前記記録面画像に前記画像データ取得部により取得された前記画像データを重ね合わせて、前記画像データの印刷イメージを表示すると共に、前記画像データのレイアウト変更の指示を受け付ける操作部と、前記操作部により受け付けられた前記指示に従って前記画像データを処理する画像処理部と、前記画像処理部により画像処理された前記画像データを前記記録紙に印刷する記録部とを備えたことを特徴とする
また、前記記録紙読み取り部は、前記記録部に向けて前記記録紙を搬送する搬送経路に配置されており、前記記録紙読み取り部により読み取られた前記記録紙を待機させる待機部を具備してもよい。
また、原稿の原稿画像を読み取る原稿読み取り部を備え、前記画像データ取得部は、前記画像データとして、前記原稿画像を取得してもよい。
また、前記記録紙読み取り部は、給紙カセットから給紙された前記記録紙の前記記録面画像を読み取ってもよい。
また、前記記録紙読み取り部は、手差しトレイから給紙された前記記録紙の前記記録面画像を読み取ってもよい。
また、前記待機部は、前記記録紙を待機させておくための搬送路であってもよい。
【発明の効果】
【０００７】
本発明によれば、印刷する画像を記録紙の模様に合わせて直感的にレイアウトすることができる。
【図面の簡単な説明】
【０００８】
【図１】本発明に係る実施形態の画像形成装置の断面模式図である。
【図２】図１に示す画像形成装置の構成を示す機能ブロック図である。
【図３】図２に示す画像形成装置における模様付きの記録紙に対する画像形成動作の流れを示すフローチャートである。
【図４】図２に示す操作部に表示される画像データの印刷イメージ例である。
【発明を実施するための形態】
【０００９】
以下、図を参照して本発明の実施形態を詳細に説明する。なお、以下の実施形態において、同様の機能を示す構成には、同一の符号を付してある。
【００１０】
次に、本発明の実施の形態を、図面を参照して具体的に説明する。
本実施の形態の画像形成装置１は、複写機や複合機等であり、図１を参照すると、原稿読み取り部２と、操作部３と、本体部４とを備えている。操作部３は、原稿読み取り部２の上部に配設されていると共に、原稿読み取り部２は、本体部４の上部に配設され、原稿読み取り部２と本体部４との間には、排紙空間４０が形成されている。
【００１１】
操作部３は、液晶表示パネルの表面に透明の感圧センサーが設けられた表示手段及び入力手段として機能するタッチパネルである。操作部３は、各種操作指示を受け付けて、画像形成装置１の状態を示したり、画像形成状況や印刷部数を表示したり、画像形成装置１の各種設定を行い、スキャン動作や画像形成等の各種機能を実行させる。
【００１２】
原稿読み取り部２は、光源と撮像素子とを備え、ＬＥＤや冷陰極管ランプ等の光源の光を原稿ＭＳの画像面に導くと共に、画像面からの反射光をＣＣＤセンサー等の撮像素子に導くスキャナー２１と、プラテンガラス２２と、原稿読取スリット２３とを備える。スキャナー２１は、モーター２４とプーリー２５との間に架け渡された歯付きベルト２６に固定されており、モーター２４を駆動することで、スキャナー２１がプラテンガラス２２に載置された原稿ＭＳの画像面に沿って移動され、原稿ＭＳの画像面を走査（スキャン）するように構成されている。プラテンガラス２２は、ガラス等の透明部材により構成された原稿台である。
【００１３】
プラテンガラス２２に載置された原稿ＭＳを読み取る場合には、スキャナー２１をプラテンガラス２２に沿って副走査方向に移動させながら、プラテンガラス２２に載置された原稿ＭＳを主走査方向の１ライン毎に走査することで画像データを取得し、取得した画像データを本体部４に出力する。なお、操作部３は、可倒式に構成され、プラテンガラス２２上を開閉するプラテンカバーとして機能し、操作部３を上方に持ち上げて開成すると、プラテンガラス２２の上面を開放させることができる。
【００１４】
本体部４は、電子写真プロセスによって記録紙Ｐに記録を施す記録部５を備えると共に、給紙カセット４１と、給紙ローラー４２、９２と、用紙搬送路４３と、搬送ローラー４４、４５と、排出ローラー４６と、記録紙読み取り部６と、待機ローラー４７、４８と、待機部４９と、手差しトレイ９１とを備えている。記録紙読み取り部６は、記録部５に向けて記録紙Ｐを搬送する搬送経路に配置されており、搬送される記録紙Ｐの記録面を読み取って記録面画像を取得するスキャナーである。給紙ローラー４２、９２、搬送ローラー４４、４５、排出ローラー４６及び待機ローラー４７、４８は、記録紙Ｐを搬送する搬送部として機能する。
【００１５】
給紙カセット４１に収納された記録紙Ｐは、給紙ローラー４２によって用紙搬送路４３に１枚ずつ給紙される。記録紙Ｐが手差しトレイ９１に載置された場合には、給紙ローラー９２によって用紙搬送路４３に１枚ずつ給紙される。そして、用紙搬送路４３に繰り出された記録紙Ｐは、操作部３を介して記録紙Ｐの読み取り指示が出されている場合、記録紙読み取り部６によって記録面の記録面画像が読み取られ、待機ローラー４７を介して待機部４９に送られるよう制御される。待機部４９は、操作部３を介して印刷実行指示が出されるまで、記録紙Ｐを待機させておく搬送路である。記録紙Ｐは、待機部４９に搬送されると、待機ローラー４８に挟持され、操作部３を介して印刷実行指示が出されるまで待機状態となる。操作部３を介して印刷実行指示が出されると、待機部４９で待機していた記録紙Ｐは待機ローラー４８、搬送ローラー４４によって記録部５に搬送されるよう制御される。そして、記録部５によって記録が施された記録紙Ｐは、排出ローラー４６によって排紙空間４０に排出される。記録紙Ｐの読み取り指示が出されていない場合には、用紙搬送路４３に繰り出された記録紙Ｐは、記録紙読み取り部６による記録面画像の読み取りが行われず、そのまま、搬送ローラー４４によって記録部５に搬送され、記録が施され、排出ローラー４６によって排紙空間４０に排出される。
【００１６】
記録部５は、感光体ドラム５１と、帯電器５２と、光走査部５３と、現像部５４と、転写ローラー５５と、定着部５６と、クリーニング部５７とを備えている。記録部５による画像形成は、まず、帯電器５２により感光体ドラム５１の表面を一様に帯電させ、原稿読み取り部２で読み取られ画像データに基づいて、光走査部５３によって感光体ドラム５１の表面を走査することで静電潜像を形成させる。次に、感光体ドラム５１の表面に形成された静電潜像を現像部５４によって現像することでトナー像を形成させる。感光体ドラム５１の表面に形成されたトナー像は、給紙カセット４１から繰り出された記録紙Ｐが、感光体ドラム５１と転写ローラー５５とのニップ部を通過する間に記録紙Ｐに転写される。記録紙Ｐに転写されたトナー像は、定着部５６を通過する間に記録紙Ｐに熱定着される。
【００１７】
図２には、画像形成装置１の概略構成を示すブロック図が示されている。上述の原稿読み取り部２、操作部３、搬送部（給紙ローラー４２、搬送ローラー４４、４５、排出ローラー４６、待機ローラー４７、４８）、記録部５及び記録紙読み取り部６は、制御部７に接続され、制御部７によって動作制御される。また、制御部７には、画像処理部８と、記憶部９とが接続されている。
【００１８】
画像処理部８は、画像データに対して画像処理を行う手段であり、例えば、拡大縮小処理や、階調調整、濃度調整等の画像改善処理や、画像のトリミング処理が行われる。
【００１９】
記憶部９は、半導体メモリーやＨＤＤ（Hard Disk Drive）等の記憶手段であり、原稿読み取り部２によって原稿を読み取ることで取得された画像データが記憶される。
【００２０】
制御部７は、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。制御部７は、ＲＯＭに記憶されている制御プログラムを読み出し、制御プログラムをＲＡＭに展開させることで、操作部３から入力された所定の指示情報に応じて装置全体の制御を行う。また、制御部７は、記録紙レイアウト部７１として機能する。
【００２１】
記録紙レイアウト部７１は、操作部３を介して記録紙Ｐの読み取り指示が出されると、給紙カセット４１から記録紙Ｐを給紙して、記録紙読み取り部６を介して記録紙Ｐの記録面画像を取得し、記録紙Ｐを待機部４９に待機させる。そして、記録紙レイアウト部７１は、記録紙Ｐに印刷する画像データを取得し、記録面画像に重ねて表示させることで、記録紙Ｐに対する画像データの印刷イメージを編集可能に操作部３に表示する。記録紙Ｐに対する画像データの配置位置（印刷位置）等の調整が終了し、操作部３を介して印刷実行指示が出されると、記録紙レイアウト部７１は、待機部４９に待機させておいた記録紙Ｐを記録部５に搬送させ、編集された画像データに基づく画像を記録紙Ｐに印刷する。
【００２２】
次に、図３を参照して画像形成装置１における模様付きの記録紙Ｐに対する画像形成動作の流れを詳細に説明する。
【００２３】
記録紙レイアウト部７１は、操作部３を介して記録紙Ｐの読み取り指示が出されるまで待機している（ステップｓ１１、ステップｓ１１でＮｏ）。記録紙Ｐの読み取り指示が出されると（ステップｓ１１でＹｅｓ）、記録紙レイアウト部７１は、給紙ローラー４２により給紙カセット４１から記録紙Ｐを用紙搬送路４３に搬送させ、搬送された記録紙Ｐの記録面を記録紙読み取り部６により読み取る（ステップｓ１２）。つづいて、記録紙レイアウト部７１は、記録面を読み取った記録紙Ｐを待機ローラー４７により待機部４９に搬送して待機させる（ステップｓ１３）。
【００２４】
つづいて、記録紙レイアウト部７１は、記録紙読み取り部６により読み取った記録紙Ｐの記録面画像を操作部３に表示する（ステップｓ１４）。つづいて、記録紙レイアウト部７１は、印刷用の画像データの取得指示を受け付けるための画像データ取得指示画面を操作部３に表示させ、受け付けた取得指示に従って印刷用の画像データを取得する（ステップｓ１５）。この場合、記録紙レイアウト部７１は、画像取得部として機能する。画像データ取得指示画面では、印刷用の画像データとして、原稿読み取り部２を介して原稿の原稿画像を読み取ったり、記憶部９に記憶された画像データから選択したり、ＵＳＢメモリー等の外部記憶媒体に記憶された画像データを取得したりすることができる。また、複数の印刷用の画像データを取得可能である。なお、最初に印刷用の画像データを取得するようにして、次に、記録紙Ｐを給紙して記録紙読み取り部６により記録面画像を読み取るようにしてもよい。
【００２５】
印刷用の画像データを取得すると、記録紙レイアウト部７１は、図４に示すように、記録面画像８１上に印刷用の画像データ８２、８３を重ねて、画像データの印刷イメージを操作部３に表示する（ステップｓ１６）。図４に示すように、記録面画像８１上には、複数の画像データ８２、８３を配置可能である。つづいて、記録紙レイアウト部は、操作部３を介して画像データのレイアウト変更を受け付けて（ステップｓ１７）、画像処理部８により画像データの画像処理を行う。これによりユーザーは、模様付きの記録紙Ｐに対する画像データの印刷イメージを見ながら画像データの配置位置やサイズを変更したり、画像データから所望の画像を切り取って配置し直したり、画像データに文字を追加したりすることができる。これにより、記録面画像８１の模様と重なっている画像データ８３のように、記録紙Ｐの模様と重なって印刷される画像データを簡単に見つけて、記録紙Ｐの模様と重ならないように直感的にレイアウトを変更したりすることができる。
【００２６】
記録紙レイアウト部は、画像データの編集が終わり、印刷実行指示がされるまで待機する（ステップｓ１８、ステップｓ１８でＮｏ）。画像データの編集が終わり、ユーザーが操作部３を介して印刷実行を指示すると（ステップｓ１８でＹｅｓ）、記録紙レイアウト部は、待機部１９に待機させておいた記録紙Ｐを待機ローラー４８、搬送ローラー４４によって記録部５に搬送する（ステップｓ１９）。記録紙Ｐが搬送されると、記録部５は、画像処理部８によって編集された画像データに基づいて記録紙Ｐに画像を印刷し（ステップｓ２０）、本処理を終了する。
【００２７】
このように、本実施形態の画像形成装置１は、印刷する画像データを取得する画像データ取得部（記録紙レイアウト部７１）と、画像データを印刷する記録紙Ｐの記録面画像を読み取る記録紙読み取り部６と、記録紙読み取り部６により読み取られた記録面画像に画像データ取得部により取得された画像データを重ね合わせて、画像データの印刷イメージを表示すると共に、画像データのレイアウト変更の指示を受け付ける操作部３と、操作部３により受け付けられた指示に従って画像データを処理する画像処理部８と、画像処理部８により画像処理された画像データを記録紙Ｐに印刷する記録部５とを備えている。そのため、本実施形態によれば、模様付きの記録紙Ｐ上の所望の場所に画像や文字を配置することができ、直感的にデザインを構成することができる。これにより、印刷する画像を記録紙Ｐの模様に合わせて直感的にレイアウトすることができる。また、記録紙Ｐの記録面画像を見ながら印刷する画像データのレイアウトができるので、部分的に印刷された使用済みの用紙の印刷面を再利用することができる。また、模様付きの特殊紙に印刷したい場合など、特殊紙を記録紙Ｐとして利用して印刷することができる。
【００２８】
また、記録紙読み取り部６は、記録部５に向けて記録紙Ｐを搬送する搬送経路に配置されており、記録紙読み取り部６により読み取られた記録紙Ｐを待機させる待機部４９を備えてもよい。これにより、給紙された記録紙Ｐにそのまま印刷することができる。
【００２９】
さらに、画像形成装置１は、原稿の原稿画像を読み取る原稿読み取り部２を備えており、画像データ取得部は、画像データとして、原稿画像を取得してもよい。これにより、例えば、印刷済みの用紙に印刷バランスを崩すことなく重ねて印刷を行うことができる。
【００３０】
また、記録紙読み取り部６は、給紙カセット４１から給紙された記録紙Ｐの記録面画像を読み取ってもよい。また、記録紙読み取り部６は、手差しトレイ９１から給紙された記録紙Ｐの記録面画像を読み取ってもよい。これによれば、給紙カセット４１からでも手差しトレイ９１からでもどちらでも簡単に記録紙Ｐをセットすることができる。
【００３１】
なお、記録紙読み取り部６は、給紙カセット４１から給紙された記録紙Ｐを読み取るためのものと、手差しトレイ９１から給紙された記録紙Ｐを読み取るためのものとを別々に搬送経路に設けてもよい。
【００３２】
本発明は上述した実施の形態に限定されるものではなく、本発明の趣旨を逸脱しない範囲で種々様々に変更が可能であることは言うまでもない。
【符号の説明】
【００３３】
１  画像形成装置
２  原稿読み取り部
３  原稿給送部
４  本体部
５  記録部
６  記録紙読み取り部
７  制御部
８  画像処理部
９  記憶部
２１  スキャナー
２２  プラテンガラス
２３  原稿読取スリット
２４  モーター
２５  プーリー
２６  歯付きベルト
４０  排紙空間
４１  給紙カセット
４２、９２  給紙ローラー
４３  用紙搬送路
４４、４５  搬送ローラー
４６  排出ローラー
４７、４８  待機ローラー
４９  待機部
５１  感光体ドラム
５２  帯電器
５３  光走査部
５４  現像部
５５  転写ローラー
５６  定着部
５７  クリーニング部
７１  記録紙レイアウト部（画像データ取得部）
８１  記録面画像
８２、８３  画像データ
９１  手差しトレイ
【図１】
2017170833.tif 000003
【図２】
2017170833.tif 000004
【図３】
2017170833.tif 000005
【図４】
2017170833.tif 000006